(57)【要約】【課題】複数種類のジョブを実行することが可能な画像形成装置の利便性を向上する。【解決手段】画像形成装置は、前記画像形成装置が実行する処理の単位である１以上のジョブの集合であるサービスを表示する第１の画面を生成する画面生成部と、操作部に対するユーザーからの特定の操作を、前記第１の画面に表示された前記サービスに対する要求である第１の要求として検出する要求検出部と、前記サービスに含まれる全ての前記ジョブに対して、前記第１の要求に基づく処理を行うジョブ実行部とを具備する。【選択図】図７
2017069757.tif 000002
【特許請求の範囲】
【請求項１】
画像形成装置であって、
前記画像形成装置が実行する処理の単位である１以上のジョブの集合であるサービスを表示する第１の画面を生成する画面生成部と、
操作部に対するユーザーからの特定の操作を、前記第１の画面に表示された前記サービスに対する要求である第１の要求として検出する要求検出部と、
前記サービスに含まれる全ての前記ジョブに対して、前記第１の要求に基づく処理を行うジョブ実行部と
を具備する画像形成装置。
【請求項２】
請求項１に記載の画像形成装置であって、
前記画面生成部は、さらに、前記サービスに含まれる前記１以上のジョブを表示する第２の画面を生成し、
前記要求検出部は、さらに、前記操作部に対するユーザーからの特定の操作を、前記第２の画面に表示された前記ジョブのうち少なくとも１つに対する要求である第２の要求として検出し、
前記ジョブ実行部は、さらに、前記少なくとも１つのジョブに対して、前記第２の要求に基づく処理を行う
画像形成装置。
【請求項３】
請求項２に記載の画像形成装置であって、
第１のモードと第２のモードとを排他的に選択するモード選択部をさらに具備し、
前記第１のモードの実行時に、
前記要求検出部は、前記第１の要求を検出し、
前記ジョブ実行部は、前記サービスに含まれる全ての前記ジョブに対する前記第１の要求に基づく処理を行い、
前記第２のモードの実行時に、
前記要求検出部は、前記第２の要求を検出し、
前記ジョブ実行部は、前記少なくとも１つのジョブに対する前記第２の要求に基づく処理を行う
画像形成装置。
【請求項４】
請求項３に記載の画像形成装置であって、
前記画面生成部は、
前記第１のモードの実行時に、前記第１の画面を生成し、
前記第２のモードの実行時に、前記第２の画面を生成する
画像形成装置。
【請求項５】
請求項１乃至４の何れか一項に記載の画像形成装置であって、
前記操作部に対するユーザーの１回の実行指示操作を、前記サービスの実行指示として検出するサービス検出部と、
前記検出されたサービスを、前記画像形成装置が実行する処理の単位である１以上のジョブを検出するジョブ検出部と
をさらに具備する画像形成装置。
【請求項６】
画像形成装置を、
前記画像形成装置が実行する処理の単位である１以上のジョブの集合であるサービスを表示する第１の画面を生成する画面生成部と、
操作部に対するユーザーからの特定の操作を、前記第１の画面に表示された前記サービスに対する要求である第１の要求として検出する要求検出部と、
前記サービスに含まれる全ての前記ジョブに対して、前記第１の要求に基づく処理を行うジョブ実行部と
として機能させるプログラム。
【発明の詳細な説明】
【技術分野】
【０００１】
本発明は、複数種類のジョブを実行することが可能な画像形成装置及びプログラムに関する。
【背景技術】
【０００２】
画像形成装置（典型的には、Multifunction Peripheral、以下単にＭＦＰと称する。）が、操作部に対するユーザーの１回の実行指示操作に基づいて実行する処理には、複数の要素（例えば、印刷、送信及び保存）が含まれることも多い。
【０００３】
そこで、特許文献１によれば、ジョブ確認画面領域に、実行予約したジョブのアイコンを表示することで、ユーザーがジョブの実行順序を認識可能とする。また、特許文献２によれば、ＭＦＰは、機能毎にジョブのステータスを表示する。
【先行技術文献】
【特許文献】
【０００４】
【特許文献１】特開２００７−２５１３１４号公報
【特許文献２】特開２０１４−１１７８８４号公報
【発明の概要】
【発明が解決しようとする課題】
【０００５】
しかしながら、特許文献１によれば、１つのジョブに複数の要素（例えば、印刷、送信及び保存）が含まれている場合、複数の要素のステータスを同時に表示するわけではない。このため、ユーザーは、複数の要素のステータスを同時に確認等することができなかった。
【０００６】
以上のような事情に鑑み、本発明の目的は、複数種類のジョブを実行することが可能な画像形成装置の利便性を向上することにある。
【課題を解決するための手段】
【０００７】
上記目的を達成するため、本発明の一形態に係る画像形成装置は、
前記画像形成装置が実行する処理の単位である１以上のジョブの集合であるサービスを表示する第１の画面を生成する画面生成部と、
操作部に対するユーザーからの特定の操作を、前記第１の画面に表示された前記サービスに対する要求である第１の要求として検出する要求検出部と、
前記サービスに含まれる全ての前記ジョブに対して、前記第１の要求に基づく処理を行うジョブ実行部と
を具備する。
【０００８】
これにより、ユーザーは、１以上のジョブの集合であるサービスを容易に視認することができる。また、ユーザーは、１回の第１の要求で、サービスに含まれる全てのジョブに対して要求を入力することができる。
【０００９】
前記画面生成部は、さらに、前記サービスに含まれる前記１以上のジョブを表示する第２の画面を生成し、
前記要求検出部は、さらに、前記操作部に対するユーザーからの特定の操作を、前記第２の画面に表示された前記ジョブのうち少なくとも１つに対する要求である第２の要求として検出し、
前記ジョブ実行部は、さらに、前記少なくとも１つのジョブに対して、前記第２の要求に基づく処理を行う。
【００１０】
これにより、ユーザーは、サービスに含まれる１以上のジョブそれぞれに対して要求を入力することができる。
【００１１】
画像形成装置は、
第１のモードと第２のモードとを排他的に選択するモード選択部をさらに具備し、
前記第１のモードの実行時に、
前記要求検出部は、前記第１の要求を検出し、
前記ジョブ実行部は、前記サービスに含まれる全ての前記ジョブに対する前記第１の要求に基づく処理を行い、
前記第２のモードの実行時に、
前記要求検出部は、前記第２の要求を検出し、
前記ジョブ実行部は、前記少なくとも１つのジョブに対する前記第２の要求に基づく処理を行う。
【００１２】
これにより、サービスに含まれる全てのジョブに対して要求を入力可能な第１のモードと、サービスに含まれる１以上のジョブそれぞれに対して要求を入力可能な第２のモードとを、目的に応じて使い分けることが可能となる。
【００１３】
前記画面生成部は、
前記第１のモードの実行時に、前記第１の画面を生成し、
前記第２のモードの実行時に、前記第２の画面を生成する。
【００１４】
これにより、排他的に選択される複数のモードの実行時に、それぞれ異なる画面を表示することで、表示部のサイズに制限がある場合でも、目的に応じた情報を視認性良く表示することができる。
【００１５】
画像形成装置は、
前記操作部に対するユーザーの１回の実行指示操作を、前記サービスの実行指示として検出するサービス検出部と、
前記検出されたサービスを、前記画像形成装置が実行する処理の単位である１以上のジョブを検出するジョブ検出部と
をさらに具備する。
【００１６】
操作部に対するユーザーの１回の実行指示操作の単位で（サービス単位で）表示及び要求の受付を行うことで、ユーザーにとっての直感性及び利便性が向上する。
【００１７】
上記目的を達成するため、本発明の一形態に係るプログラムは、
画像形成装置を、
前記画像形成装置が実行する処理の単位である１以上のジョブの集合であるサービスを表示する第１の画面を生成する画面生成部と、
操作部に対するユーザーからの特定の操作を、前記第１の画面に表示された前記サービスに対する要求である第１の要求として検出する要求検出部と、
前記サービスに含まれる全ての前記ジョブに対して、前記第１の要求に基づく処理を行うジョブ実行部と
として機能させる。
【発明の効果】
【００１８】
以上のように、本発明によれば、複数種類のジョブを実行することが可能な画像形成装置の利便性が向上する。
【図面の簡単な説明】
【００１９】
【図１】本発明の一実施形態に係る画像形成装置（ＭＦＰ）のハードウェア構成を示すブロック図である。
【図２】ＭＦＰの機能的構成を示すブロック図である。
【図３】サービスステータス画面の一例を示す図である。
【図４】ジョブステータス画面の一例を示す図である。
【図５】サービスステータス画面の別の一例を示す図である。
【図６】ジョブステータス画面の別の一例を示す図である。
【図７】ＭＦＰの動作の一例を示すフローチャートである。
【発明を実施するための形態】
【００２０】
以下、図面を参照しながら、本発明の実施形態を説明する。
【００２１】
（１．ＭＦＰのハードウェア構成）
図１は、本発明の一実施形態に係る画像形成装置（ＭＦＰ）のハードウェア構成を示すブロック図である。
ＭＦＰ１０は、制御部１１を備える。制御部１１は、ＣＰＵ、ＲＡＭ、ＲＯＭ及び専用のハードウェア回路等から構成され、ＭＦＰ１０の全体的な動作制御を司る。ＭＦＰ１０を各機能部（後述）として機能させるコンピュータプログラムは、ＲＯＭ等の非一過性の記憶媒体に記憶される。
【００２２】
制御部１１は、画像読取部１２、ファクシミリ通信部１３、画像処理部１４、画像メモリー１５、画像形成部１６、操作部１７、記憶部１８、ネットワーク通信部１９等と接続されている。制御部１１は、接続されている上記各部の動作制御や、各部との間での信号又はデータの送受信を行う。
【００２３】
制御部１１は、ユーザーから、操作部１７またはネッワーク接続されたパーソナルコンピュータ（図示せず）等を通じて入力されるジョブの実行指示に従って、スキャナ機能、印刷機能及びコピー機能機能などの各機能についての動作制御を実行するために必要な機構の駆動及び処理を制御する。
【００２４】
画像読取部１２は、原稿から画像を読み取る。
【００２５】
画像処理部１４は、画像読取部１２で読み取られた画像の画像データを必要に応じて画像処理する。例えば、画像処理部１４は、画像読取部１２により読み取られた画像が画像形成された後の品質を向上させるために、シェーディング補正等の画像処理を行う。
【００２６】
画像メモリー１５は、画像読取部１２による読み取りで得られた原稿画像のデータを一時的に記憶したり、画像形成部１６での印刷対象となるデータを一時的に記憶したりする領域である。
【００２７】
画像形成部１６は、画像読取部１２で読み取られた画像データ等の画像形成を行う。
【００２８】
操作部１７は、ＭＦＰ１０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部１７ａを備えている。
【００２９】
ネットワーク通信部１９は、ネットワーク（図示せず）に接続するためのインタフェースである。
【００３０】
ファクシミリ通信部１３は、図示しない符号化／復号化部、変復調部、およびＮＣＵ（Network Control Unit）を備え、公衆電話回線網を用いてのファクシミリの送信を行う。
【００３１】
記憶部１８は、画像読取部１２によって読み取られた原稿画像等を記憶する、ＨＤＤなどの大容量の記憶装置である。
【００３２】
（２．ＭＦＰの機能的構成）
図２は、ＭＦＰの機能的構成を示すブロック図である。
ＭＦＰ１０は、サービス検出部１０１、ジョブ検出部１０２、ジョブ実行部１０３、画面生成部１０４、モード選択部１０５及び要求検出部１０６を有する。
【００３３】
サービス検出部１０１は、操作部１７に対するユーザーの１回の実行指示操作により定義されるサービスを検出する。「１回の実行指示操作」とは、具体的には、ユーザーが、操作部１７のタッチパネルを操作してＭＦＰ１０が実行すべき１以上のジョブのカテゴリ（例えば、印刷、送信及び保存）を選択した上で、スタートボタンを１回押下して実行指示操作をすることである。サービス検出部１０１は、検出したサービスを、ジョブ検出部１０２及び画面生成部１０４に通知する。
【００３４】
ジョブ検出部１０２は、サービス検出部１０１から通知を受けたサービスに含まれる、１以上のジョブを検出する。「ジョブ」とはＭＦＰ１０が実行する処理の単位であり、「サービス」とは１以上のジョブの集合である。本例の場合、ジョブ検出部１０２は、１つのサービスに含まれる３つのジョブ（印刷、送信及び保存）を検出する。ジョブ検出部１０２は、検出した３つのジョブを、ジョブ実行部１０３及び画面生成部１０４に通知する。
【００３５】
ジョブ実行部１０３は、ジョブ検出部１０２から通知を受けた３つのジョブを実行する。ジョブ実行部１０３は、３つのジョブのステータス（例えば、待機中、実行中又は終了）を、画面生成部１０４に適宜通知する。
【００３６】
モード選択部１０５は、操作部１７に対するユーザーの特定の操作を、モード選択要求として検出する。例えば、表示部１７ａにモード設定画面を表示させたとき、モード選択部１０５は、モード設定画面に対するモードを選択するための操作を、モード選択要求として検出する。「モード選択要求」とは、サービス単位の要求を行うためのサービスモードと、ジョブ単位の要求を行うためのジョブモードとを選択するための要求である。サービスモード実行時には、サービスステータス画面（第１の画面。後で図３等を参照してより詳細に説明する。）が表示部１７ａに表示される。ジョブモード実行時には、ジョブステータス画面（第２の画面。後で図４等を参照してより詳細に説明する。）が表示部１７ａに表示される。「サービスステータス画面」とは、ＭＦＰ１０が実行する１以上のジョブの集合であるサービスのステータスを表示する画面である。「ジョブステータス画面」とは、サービスに含まれる１以上のジョブそれぞれのステータスを表示する画面である。モード選択部１０５は、モード選択要求を画面生成部１０４及び要求検出部１０６に通知する。
【００３７】
画面生成部１０４は、モード選択部１０５からのモード選択要求に基づき、サービス検出部１０１より通知されたサービスを表示するサービスステータス画面と、ジョブ検出部１０２より通知されたジョブを表示するジョブステータス画面とのいずれか一方を生成し、表示部１７ａに出力する。画面生成部１０４は、ジョブ実行部１０３から通知されたジョブのステータスに基づき、表示部１７ａに表示中のサービスステータス画面又はジョブステータス画面に表示されるステータス（例えば、待機中、実行中又は終了）を、適宜更新する。
【００３８】
要求検出部１０６は、サービスモード実行時における操作部１７に対するユーザーからの特定の操作を、表示部１７ａに表示されているサービスステータス画面に表示されたサービスに対する処理を変更する要求である、サービス処理変更要求（第１の要求）として検出する。また、要求検出部１０６は、ジョブモード実行時における操作部１７に対するユーザーからの特定の操作を、表示部１７ａに表示されているジョブステータス画面に表示されたジョブのうち少なくとも１つに対する処理を変更する要求である、ジョブ処理変更要求（第２の要求）として検出する。要求検出部１０６は、サービス処理変更要求又はジョブ処理変更要求を、ジョブ実行部１０３に供給する。
【００３９】
ジョブ実行部１０３は、さらに、要求検出部１０６から取得したサービス処理変更要求に基づき、サービスに含まれる全てのジョブに対する変更処理を行う。ジョブ実行部１０３は、要求検出部１０６から取得したジョブ処理変更要求に基づき、少なくとも１つのジョブに対する変更処理を行う。
【００４０】
（３．サービスステータス画面、ジョブステータス画面）
図３は、サービスステータス画面の一例を示す図である。
サービスステータス画面Ｓ１には、１つのサービスに対して、サービス番号Ｓ１０１、サービス名Ｓ１０２、印刷ジョブステータスＳ１０３、送信ジョブステータスＳ１０４及び保存ジョブステータスＳ１０５が表示される。サービス番号Ｓ１０１は、各サービスに固有の識別情報である。サービス名Ｓ１０２は、サービス番号Ｓ１０１に一対一で対応する。印刷ジョブステータスＳ１０３、送信ジョブステータスＳ１０４及び保存ジョブステータスＳ１０５の欄には、各サービスに含まれる各ジョブのステータスが表示される。
【００４１】
具体的には、サービス番号Ｓ１０１「0001」に対して、サービス名Ｓ１０２「user 0001」、印刷ジョブステータスＳ１０３「Running（実行中）」、送信ジョブステータスＳ１０４「Fin.（終了）」及び保存ジョブステータスＳ１０５「−（実行せず）」が表示される。サービス番号Ｓ１０１「0002」に対して、サービス名Ｓ１０２「user 0002」、印刷ジョブステータスＳ１０３「Waiting（待機中）」、送信ジョブステータスＳ１０４「−（実行せず）」及び保存ジョブステータスＳ１０５「−（実行せず）」が表示される。
【００４２】
サービスステータス画面Ｓ１には、さらに、キャンセルボタンＳ１０６が表示される。
【００４３】
例えば、ユーザーは、サービス番号Ｓ１０１「0001」及び「0002」で示されるサービスの少なくとも何れか１つを選択する（図示しないが、例えば、選択されたサービスはハイライト表示される）。そして、ユーザーは、キャンセルボタンＳ１０６を押下することで、選択されたサービスに含まれる全てのジョブに対するキャンセル要求であるサービスキャンセル要求を入力する。「サービスキャンセル要求」は、上記サービス処理変更要求（第１の要求）の一例である。
【００４４】
図４は、ジョブステータス画面の一例を示す図である。
ジョブステータス画面Ｊ１は、サービスステータス画面Ｓ１に対応する。言い換えれば、ジョブステータス画面Ｊ１及びサービスステータス画面Ｓ１は何れも、ＭＦＰ１０がサービス番号「0001」及び「0002」の２つのサービスを受け付けた状態を示す。モード選択部１０５が検出したモード選択要求に基づき、サービスステータス画面Ｓ１（図３）及びジョブステータス画面Ｊ１（図４）の何れか一方が排他的に表示される。
【００４５】
ジョブステータス画面Ｊ１には、印刷ジョブタブＪ１０１、送信ジョブタブＪ１０２及び保存ジョブタブＪ１０３が表示される。選択されたタブにより特定されるジョブのリストが表示される。本図の例では、印刷ジョブタブＪ１０１が選択され（ハイライト表示され）、印刷ジョブリストＪ１０４が表示される。
【００４６】
印刷ジョブリストＪ１０４には、ジョブ番号Ｊ１０６「0001」に対して、ジョブ名Ｊ１０７「doc 0001」、ジョブステータスＪ１０８「Running（実行中）」、さらに、このジョブが含まれるサービスを識別するサービス番号Ｊ１０５「0001」が表示される。ジョブ番号Ｊ１０６「0002」に対して、ジョブ名Ｊ１０７「doc 0002」、ジョブステータスＪ１０８「Waiting（待機中）」、さらに、このジョブが含まれるサービスを識別するサービス番号Ｊ１０５「0002」が表示される。
【００４７】
ジョブステータス画面Ｊ１には、さらに、ジョブの一時停止を要求するための一時停止ボタンＪ１０９と、ジョブのキャンセルを要求するためのキャンセルボタンＪ１１０と、リスト内のジョブを選択するためのムーブアップボタンＪ１１１とが表示される。
【００４８】
例えば、ユーザーは、ジョブ番号Ｊ１０６「0001」及び「0002」で示されるジョブの少なくとも何れか１つを選択する（図示しないが、例えば、選択されたジョブはハイライト表示される）。そして、ユーザーは、キャンセルボタンＪ１１０を押下することで、選択された少なくとも１つのジョブに対するキャンセル要求であるジョブキャンセル要求を入力する。「ジョブキャンセル要求」は、上記ジョブ処理変更要求（第２の要求）の一例である。
【００４９】
図５は、サービスステータス画面の別の一例を示す図である。図６は、ジョブステータス画面の別の一例を示す図である。
サービスステータス画面Ｓ２（図５）は、ジョブステータス画面Ｊ２（図６）に対応する。言い換えれば、サービスステータス画面Ｓ２及びジョブステータス画面Ｊ２は何れも、ＭＦＰ１０がサービス番号「0001」の１つのサービスを受け付けた状態を示す。サービス番号「0001」で示される１つのサービスには、ジョブ番号「0001」〜「0005」で示される５つのジョブ（図６）が含まれる。モード選択部１０５が検出したモード選択要求に基づき、サービスステータス画面Ｓ２（図５）及びジョブステータス画面Ｊ２（図６）の何れか一方が表示される。サービスステータス画面Ｓ２（図５）及びジョブステータス画面Ｊ２（図６）は、サービスステータス画面Ｓ１（図３）及びジョブステータス画面Ｊ１（図４）と同様であるから、説明は省略する。
【００５０】
（４．ＭＦＰの動作の一例）
図７は、ＭＦＰの動作の一例を示すフローチャートである。
ＭＦＰ１０の動作の一例として、サービス又はジョブをキャンセルする場合の動作を説明する。
【００５１】
前提として、画面生成部１０４は、モード選択部１０５からのモード選択要求に基づき、サービス検出部１０１より通知されたサービスを表示するサービスステータス画面と、ジョブ検出部１０２より通知されたジョブを表示するジョブステータス画面とのいずれか一方を生成し、表示部１７ａに出力する。その結果、サービスステータス画面と、ジョブステータス画面とのいずれか一方が、表示部１７ａに表示されている。
【００５２】
要求検出部１０６は、操作部１７に対するユーザーからの特定の操作（例えば、キャンセルボタンＳ１０６又はキャンセルボタンＪ１１０の押下）を、キャンセル要求として検出すると、サービスモードとジョブモードとの何れが実行中であるか判断する（ステップＳＴ１）
【００５３】
要求検出部１０６は、サービスモードを実行中である（即ち、サービスステータス画面が表示されている）と判断すると（ステップＳＴ１、ＹＥＳ）、操作部１７に対するユーザーからの特定の操作（例えば、キャンセルボタンＳ１０６の押下）を、サービスキャンセル要求と判断する（ステップＳＴ２）。
【００５４】
一方、要求検出部１０６は、ジョブモードを実行中である（即ち、ジョブステータス画面が表示されている）と判断すると（ステップＳＴ１、ＮＯ）、操作部１７に対するユーザーからの特定の操作（例えば、キャンセルボタンＪ１１０の押下）を、ジョブキャンセル要求と判断するする（ステップＳＴ３）。
【００５５】
要求検出部１０６は、判断結果としてのサービスキャンセル要求又はジョブキャンセル要求を受け付ける（ステップＳＴ４）。要求検出部１０６は、受け付けたサービスキャンセル要求又はジョブキャンセル要求の内容を判断する（ステップＳＴ５）。具体的には、要求検出部１０６は、サービスキャンセル要求（ステップＳＴ２）を受け付けた場合、キャンセル対象サービスを判断する（ステップＳＴ５、ＹＥＳ）。一方、要求検出部１０６は、ジョブキャンセル要求（ステップＳＴ３）を受け付けた場合、キャンセル対象ジョブを判断する（ステップＳＴ５、ＮＯ）。
【００５６】
要求検出部１０６は、キャンセル対象ジョブを判断すると（ステップＳＴ５、ＮＯ）、ジョブ実行部１０３に対象ジョブのキャンセル要求を供給し、ジョブ実行部１０３は、対象ジョブのキャンセル要求を取得すると、対象ジョブをキャンセルする（ステップＳＴ６）。
【００５７】
一方、要求検出部１０６は、キャンセル対象サービスを判断すると（ステップＳＴ５、ＹＥＳ）、ジョブ実行部１０３に、対象サービスのキャンセル要求を供給する（ステップＳＴ７）。ジョブ実行部１０３は、対象サービスのキャンセル要求を取得すると、対象サービスに含まれる１以上のジョブ（言い換えれば、１以上のキャンセル対象ジョブ）を判断する（ステップＳＴ８）。ジョブ実行部１０３は、サービスにキャンセル対象ジョブ（即ち、キャンセル未実行のジョブ）が含まれると判断すると（ステップＳＴ８、ＹＥＳ）、対象ジョブを１つずつキャンセルし（ステップＳＴ９、ループ）、最終的に全ての対象ジョブをキャンセルする（ステップＳＴ８、ＮＯ）。
【００５８】
（５．まとめ）
本実施形態によれば、サービスステータス画面が表示される。「サービス」とは、操作部に対するユーザーの１回の実行指示操作により定義され、ＭＦＰが実行する処理の単位である１以上のジョブの集合である。この「サービス」に含まれる１以上のジョブそれぞれのステータスを、サービスステータス画面上で一覧に表示することで、ユーザーは、１回の実行指示操作により定義されるサービス単位で、それぞれのジョブのステータスを容易に視認することができる。
【００５９】
また、サービスステータス画面を用いることで、ユーザーは、サービス単位のキャンセル要求を入力することができる。すなわち、サービスに含まれる全てのジョブをキャンセルしたい場合、ジョブステータス画面の表示だけでは、ユーザーは、複数のジョブをそれぞれキャンセルする必要がある。これに対して、サービスステータス画面を用いることで、ユーザーは、サービス全体を一括的にキャンセルすることが可能となる。また、サービスステータス画面を表示するサービスモードと、ジョブステータス画面を表示するジョブモードとを使い分けることで、ユーザーの目的に応じてキャンセル等の要求を入力することが可能となる。
【００６０】
一般的に、ＭＦＰの表示部（表示パネル）のサイズには制限があり、例えばパーソナルコンピュータの表示画面に比べて格段に小さい。このため、ＭＦＰの表示部には、数多くの情報を網羅的に表示するよりは、同じ量の情報を表示するならば可能な限り纏めて、ユーザーが直感的に理解しやすく、且つ、視認性の高い表示形態とすることが望ましい。また、近年の多くのＭＦＰは、表示部と操作部とを一体化したタッチパネルを搭載している。したがって、直感的且つ視覚的に理解しやすく纏めた情報を表現するＧＵＩ（Graphic User Interface）を、ユーザーからの要求を入力するのに用いれば、高い利便性が実現され得る。そこで、本実施形態によれば、サービスステータス画面上で、複数のジョブの集合であるサービスをＧＵＩとして表示し、１つのサービスに含まれる全てのジョブに対する要求の入力を受け付ける。これにより、高い利便性が実現される。
【００６１】
（６．変形例）
実施形態では、サービスステータス画面及びジョブステータス画面の何れか一方が排他的に表示されるとした。これに替えて、サービスステータス画面及びジョブステータス画面を同時に表示し、何れか一方のステータス画面に対する要求を検出しても良い。
【００６２】
サービスステータス画面を表示するサービスモードと、ジョブステータス画面を表示するジョブモードとの何れか一方のみを有効とすることを可能としてもよい。例えば、サービスに対して一括的に処理を要求するメリットが乏しい場合（例えば、１つのサービスに含まれるジョブが１つである場合）には、ジョブモードのみを有効とすればよい。
【符号の説明】
【００６３】
１０…ＭＦＰ
１０１…サービス検出部
１０２…ジョブ検出部
１０３…ジョブ実行部
１０４…画面生成部
１０５…モード選択部
１０６…要求検出部
【図１】
2017069757.tif 000003
【図２】
2017069757.tif 000004
【図７】
2017069757.tif 000005
【図３】
2017069757.tif 000006
【図４】
2017069757.tif 000007
【図５】
2017069757.tif 000008
【図６】
2017069757.tif 000009